(57)【要約】      （修正有）【課題】アレンジを自在に行うことを可能にするストールを提供する。【解決手段】非着用時の平面視において、略矩形の本体１０を有するストール１であって、本体１０の略中央部において、略矩形の形状の一辺に連続し、その一辺と対向する辺には連続しないスリット１２が形成され、さらに、スリット１２を開閉する開閉手段１８、及び／または、装飾部材を着脱する着脱手段１６ａ〜１６ｄが形成されている。【選択図】図１
0003202102.tif 000002
【実用新案登録請求の範囲】
【請求項１】
非着用時の平面視において、略矩形の本体を有するストールであって、
前記本体の略中央部において、前記略矩形の形状の一辺に連続し、前記一辺と対向する辺には連続しないスリットが形成され、さらに、
前記スリットを開閉する開閉手段、及び／または、装飾部材を着脱する着脱手段が形成されているストール。
【請求項２】
前記開閉手段は、ボタン及びボタン孔、スナップボタン、または、ホック及びアイである請求項１に記載のストール。
【請求項３】
前記着脱手段は、前記装飾部材に配置されたボタンまたはボタン孔に対応するボタン孔またはボタン、または、前記装飾部材に配置された凸スナップまたは凹スナップに対応する凹スナップまたは凸スナップ、または、前記装飾部材に配置されたホックまたはアイに対応するアイまたはホックである請求項１または２に記載のストール。
【考案の詳細な説明】
【技術分野】
【０００１】
本考案は、ドレスアップ用のストールに関する。
【背景技術】
【０００２】
ストールは、防寒あるいは装飾のために使用されており、例えば、首，肩，腕の３個所を同時に寒さから守り、しかも動きやすくフアツシヨン性に富んだストールが提案されている（例えば、特許文献１）。
【０００３】
【特許文献１】実公平０６−０３４３２６号公報
【考案の概要】
【考案が解決しようとする課題】
【０００４】
ところで、ファッションは、本来、個人の趣味によって評価されるものであるから、自由度が重要である。しかし、従来のストールにおいては、個人の趣味によるアレンジを自在に行うことができず、ファッションを十分に楽しむことができないという問題がある。
【０００５】
本考案はかかる問題の解決を試みたものであり、アレンジを自在に行うことを可能にするストールの提供を目的とする。
【課題を解決するための手段】
【０００６】
第一の考案は、非着用時の平面視において、略矩形の本体を有するストールであって、前記本体の略中央部において、前記略矩形の形状の一辺に連続し、前記一辺と対向する辺には連続しないスリットが形成され、さらに、前記スリットを開閉する開閉手段、及び／または、装飾部材を着脱する着脱手段が形成されているストールである。
【０００７】
第一の考案のストールにおいては、スリットに使用者の首を挟み込んで使用することができるから、首に巻いたり肩に掛ける従来のストールとは異なり、自然な態様において、スリットの両側の布が使用者の体の前面に配置される。そして、開閉手段によってスリットを開閉したり、着脱手段によって装飾部材を着脱することができるから、アレンジを自在に行うことができる。
【０００８】
第二の考案は、第一の考案において、前記開閉手段は、ボタン及びボタン孔、スナップボタン、または、ホック及びアイであるストールである。
【０００９】
第三の考案は、第一の考案または第二の考案において、前記着脱手段は、前記装飾部材に配置されたボタンまたはボタン孔に対応するボタン孔またはボタン、または、前記装飾部材に配置された凸スナップまたは凹スナップに対応する凹スナップまたは凸スナップ、または、前記装飾部材に配置されたホックまたはアイに対応するアイまたはホックであるストールである。
【考案の効果】
【００１０】
以上のように、本考案のストールによればアレンジを自在に行うことを可能にすることができる。
【図面の簡単な説明】
【００１１】
【図１】ストール１の全体図である。
【図２】ストール１の一実施例である。
【図３】ストール１の使用状態の一例を示す図である。
【図４】ストール１の使用状態の一例を示す図である。
【図５】ストール１の使用状態の一例を示す図である。
【図６】ストール１の使用状態の一例を示す図である。
【図７】ストール１の使用状態の一例を示す図である。
【図８】ストール１の使用状態の一例を示す図である。
【図９】ストール１の使用状態の一例を示す図である。
【図１０】ストール１の使用状態の一例を示す図である。
【図１１】ストール１の使用状態の一例を示す図である。
【図１２】ストール１の使用状態の一例を示す図である。
【図１３】ストール１の使用状態の一例を示す図である。
【図１４】ストール１の使用状態の一例を示す図である。
【考案を実施するための形態】
【００１２】
本考案の実施形態を、以下において説明する。
【００１３】
図１に示すように、ストール１は、非着用時において、略矩形の形状を有する。ストール１は、本体１０を有する。本体１０は、布で形成されており、材質は、例えば、絹、木綿などの自然に由来の繊維、あるいは、ポリエステルなどの化学繊維である。本体１０の略中央部にスリット１２が形成されている。スリット１２は、本体１０の一辺とは連続するが、その一辺と対向する辺とは連続しない。スリット１２により、本体１０は、基部１０ａ、本体左部１０ｂ及び本体右部１０ｃの各部に区別される。ストール１の着用時において、スリット１２の間、すなわち、本体左部１０ｂ及び本体右部１０ｃの間に使用者の首が配置されるようになっている。
【００１４】
本体１０は、複数のベルト孔を有する。本実施形態においては、ベルト孔１４ａ，１４ｂ，１４ｃ及び１４ｄを有する。ベルト孔１４ａ等は、本体１０を貫通する細長形状の孔であり、ベルトや紐（図示せず）を通すことができるようになっている。
【００１５】
本体１０の外側の各辺には、複数の係止手段が形成されている。本実施形態においては、スリット１２と平行な２つの辺の近傍、すなわち、本体左部１０ｂ及び本体右部１０ｃの外側の縁部に略円形の係止手段１６ａ，１６ｂ，１６ｃ及び１６ｄが形成されている。係止手段１６ａ等によって、例えば、ボタンが付いた他の装飾部材を着脱可能になっている。係止手段１６ａ等は、着脱手段の一例である。なお、スリット１２の両側にも係止手段を配置して、他の装飾部材を着脱可能にしてもよい。
【００１６】
スリット１２の近傍には、スリットを開閉する開閉手段が形成されている。本実施形態においては、本体右部１０ｃにボタン係止用の環状部１８が形成され、本体左部１０ｂのボタン（図示せず）と協働して、スリット１２を開閉することができるようになっている。なお、スリット開閉手段は、環状部とボタンに限らず、凹凸のスナップ、フック及びアイ、あるいは、ファスナーであってもよい。
【００１７】
図２は、ストール１の一実施例を示す図である。図２のストール１は、スリット１２の近傍に飾り布２０が配置されており、襟部の装飾となっている。使用者がストール１を着用すると、飾り布２０が使用者の首回りから体の前面に位置するようになっている。
【００１８】
図３〜１４は、ストール１の、さらに別の実施例を示す図であり、着用例を示す図である。図３〜図１４に示すように、使用者は、ストール１の襟部分や外縁部分に様々な装飾部材を着脱することによって、幾通りもの着用方法を楽しむことができ、例えば、スパンコールやラインストーン等を着脱することで、より華やかな装いも可能になる。
【００１９】
なお、本考案のストールは、上記実施例の形態に限らず、本考案の要旨を逸脱しない範囲内において種々変更を加えることができる。例えば、ストール１において、スリット１２近傍の開閉手段を省略して、装飾部材の着脱手段のみを有するようにしてもよい。
【符号の説明】
【００２０】
１  ストール
１０  本体
１２  スリット
１４ａ〜１４ｄ  ベルト孔
１６ａ〜１６ｄ  着脱手段
１８  開閉手段
【図１】
0003202102.tif 000003
【図２】
0003202102.tif 000004
【図３】
0003202102.tif 000005
【図４】
0003202102.tif 000006
【図５】
0003202102.tif 000007
【図６】
0003202102.tif 000008
【図７】
0003202102.tif 000009
【図８】
0003202102.tif 000010
【図９】
0003202102.tif 000011
【図１０】
0003202102.tif 000012
【図１１】
0003202102.tif 000013
【図１２】
0003202102.tif 000014
【図１３】
0003202102.tif 000015
【図１４】
0003202102.tif 000016